(57)【要約】【課題】    狭隘部に配置した止め輪挿入対象軸に対しても容易に止め輪を挿入することのできる止め輪挿入治具を提供する。【解決手段】  開閉可能な把持具１と、把持具の一方の把持部材１１に取り付け、止め輪を嵌合する対象軸の溝部に係合して前記把持具を位置決めする係合支持部４１を備えた支持ブロック４と、前記把持具の他方の把持部材１２に取り付けた対向ブロック３と、止め輪をその反開口端側から把持する止め輪把持部２５、前記対向ブロック３に回動可能に取り付けたホルダブロック２２、および止め輪把持部２５とホルダブロック２２を接続する軸部２１を備えたホルダ２と、前記ホルダの止め輪把持部２５を支持ブロックの係合支持部４１に対向する位置に停止させるストッパ３２を備えた。【選択図】  図１
2005334995.tif 000002
【特許請求の範囲】
【請求項１】
開閉可能な把持具と、
把持具の一方の把持部材に取り付け、止め輪を嵌合する対象軸の溝部に係合して前記把持具を位置決めする係合支持部を備えた支持ブロックと、
前記把持具の他方の把持部材に取り付けた対向ブロックと、
止め輪をその反開口端側から把持する止め輪把持部、前記対向ブロックに回動可能に取り付けたホルダブロック、および止め輪把持部とホルダブロックを接続する軸部を備えたホルダと、
前記ホルダの止め輪把持部を支持ブロックの係合支持部に対向する位置に停止させるストッパを備えたことを特徴とする止め輪挿入治具。
【請求項２】
請求項１記載の止め輪挿入治具において、
支持ブロックおよび対向ブロックは前記把持具に取り外し可能に取り付けたことを特徴とする止め輪挿入治具。
【請求項３】
請求項１記載の止め輪挿入治具において、
前記軸部は、止め輪把持部を弾性支持するための切れ目を有することを特徴とする止め輪挿入治具。
【請求項４】
開閉可能な把持具と、
把持具の一方の把持部材に取り付け、止め輪を嵌合する対象軸の溝部に係合して前記把持具を位置決めする係合支持部を備えた支持ブロックと、
前記把持具の他方の把持部材に取り付けた対向ブロックと、
止め輪をその反開口端側から把持する止め輪把持部、前記対向ブロックに取り付けたホルダブロック、および止め輪把持部とホルダブロックを接続する軸部を備えたホルダを備え、
前記ホルダの止め輪把持部を支持ブロックの係合支持部に対向する位置に固定して支持したことを特徴とする止め輪挿入治具。
【請求項５】
請求項４記載の止め輪挿入治具において、
支持ブロックおよび対向ブロックは前記把持具に取り外し可能に取り付けたことを特徴とする止め輪挿入治具。
【発明の詳細な説明】
【技術分野】
【０００１】
本発明は、止め輪挿入治具に係り、特に、狭隘な箇所に配置した止め輪挿入対象軸に対しても確実に止め輪を挿入することのできる止め輪挿入治具に関する。
【背景技術】
【０００２】
従来、止め輪挿入治具としては、直線状部材の一方端に二股状の止め輪保持部を形成し、他方端に握り部を形成した棒状の挿入治具が知られている。この治具は、前記二股状の止め輪保持部に止め輪を保持し、この状態で、握り部を操作して保持した止め輪を対象軸の溝部に挿入することができる。また、複数の止め輪を積層し、積層した複数の止め輪の開口部を直立したガイド体に挿通して基台上に保持するスタンド装置も知られている。
【０００３】
このようなスタンド装置を使用する場合には、前記挿入治具をスタンド装置に配置した止め輪の反開口端に押し付けることにより、止め輪を挿入治具の止め輪保持部に保持させることができる。
【０００４】
また、特許文献１には、止め輪保持部を備えたホルダとＶ溝を備えたチャッキングアームとを備え、前記ホルダ装着した止め輪を対象軸の溝部に係合したチャッキングアームの方向に押圧することにより、止め輪を対象軸の溝部に挿入することのできる止め輪の取り付け工具が示されている。
【特許文献１】特開７−１１２３７５号公報
【発明の開示】
【発明が解決しようとする課題】
【０００５】
前記従来技術に示すような棒状の挿入治具を用いて止め輪を挿入する方法は、取り付け対象軸に直交する方向から挿入治具を接近して止め輪を挿入するため、取り付け対象軸に直交する方向に十分な空間を必要とする。したがって、取り付け対象軸に直交する方向に部品等が取り付けられ、軸方向端部のみが開放しているような狭隘部では、前記治具を利用した作業は実施することができない。このような場所では、例えば、作業者が手で止め輪を保持して挿入部位運び、この位置で止め輪を保持しながら、先端の長いプライヤなどで挟み込み込むことにより挿入していた。
【０００６】
このような作業を行う場合、挿入位置の確認が困難であり、また対象軸の表面をプライヤなどでキズ付ける恐れがある。また、対象軸の軸方向端部から作業する場合には、対象軸の端部に対象軸の軸径よりも径の大きな部品が取り付けられている場合、この部品を外してからでないとプライヤで挿入することができないことがある。
【０００７】
また、特許文献１に示す取り付け工具は、止め輪保持部を備えたホルダとＶ溝を備えたチャッキングアームとを備え、前記ホルダ装着した止め輪を対象軸の溝部に係合したチャッキングアームの方向に押圧することにより、止め輪を溝部に挿入することができる。しかし、この工具を用いる場合も、対象軸の端部に対象軸の軸径よりも径の大きな部品が取り付けられている場合、この部品を外してからでないと挿入することができない。
【０００８】
本発明は、これらの問題点に鑑みてなされたもので、狭隘部に配置した止め輪挿入対象軸に対しても容易に止め輪を挿入することのできる止め輪挿入治具を提供するものである。
【課題を解決するための手段】
【０００９】
本発明は上記課題を解決するため、次のような手段を採用した。
【００１０】
開閉可能な把持具と、把持具の一方の把持部材に取り付け、止め輪を嵌合する対象軸の溝部に係合して前記把持具を位置決めする係合支持部を備えた支持ブロックと、前記把持具の他方の把持部材に取り付けた対向ブロックと、止め輪をその反開口端側から把持する止め輪把持部、前記対向ブロックに回動可能に取り付けたホルダブロック、および止め輪把持部とホルダブロックを接続する軸部を備えたホルダと、前記ホルダの止め輪把持部を支持ブロックの係合支持部に対向する位置に停止させるストッパを備えた。
【発明の効果】
【００１１】
本発明は、以上の構成を備えるため、狭隘部に配置した対象軸に対しても容易に止め輪を挿入することができる。
【発明を実施するための最良の形態】
【００１２】
以下、最良の実施形態を添付図面を参照しながら説明する。図１は、本実施形態にかかる止め輪挿入治具を説明する図、図２は止め輪を保持するホルダを説明する図、図３は止め輪（Ｅ型止め輪）を説明する図である。
【００１３】
図３において、Ｅ型止め輪５は、開口端を備えたリング状部と係合片部を備える。この止め輪は挿入対象軸６に設けた溝部６１に、例えば、図示上方から矢印Ａ方向に圧入することにより、挿入対象軸６の溝部６１に挿入することができる。このとき、止め輪５は、挿入時には弾性変形しながら、すなわち広がりながら溝部６１に挿入される。挿入後は元の形状に戻り、対象軸の軸方向への移動を規制する働きをする。これにより、対象軸の軸方向移動を制限し、あるいは固定することができる。止め輪は、対象軸の軸径に応じて各種のサイズのものが用意されている（JIS B 2805-1978「Ｅ形止め輪」参照）。
【００１４】
図１において、１はプライヤ等の把持具、１１，１２は把持部材、１３は把持具の柄の部分に設けた板状バネであり、把持具１が開いた状態に戻るのを補助することができる。また、板状バネ１３を備えることにより、対象軸に止め輪５を挿入した後、止め輪からホルダ２を容易に外すことができる。
【００１５】
１４は把持部材１１，１２の先端付近に設けたネジ穴、４はネジ穴１２を介して一方の把持部材１１に取り付けた支持ブロック、４１は支持ブロック４に形成した係合支持部である。係合支持部は後述するように対象軸６の溝部６１と係合する。
【００１６】
３はネジ穴１２を介して他方の把持部材１２に取り付けた対向ブロック、３１は対向ブロック３に設けた貫通孔に挿入したピンであり、後述するホルダ２を回動可能に取り付ける。
【００１７】
図２において、２は止め輪を保持するホルダ、２１はホルダの軸部であり、把持部材２５とホルダブロックを接続する。２２はホルダブロック、２３はピン３１を挿通するための通し穴、２４は軸部２１に設けた切れ目、２５は止め輪５を把持する把持部である。
【００１８】
ホルダの軸部に設けた切れ目２４は、止め輪を挿入する際の変形を考慮した長さに設定されており、切れ目２４部分の弾性により止め輪を把持する。切れ目２４の長さが短いと、止め輪５の対象軸への挿入が困難であり、また、止め輪把持部２５で止め輪を把持することも困難である。
【００１９】
切れ目２１の長さは、ホルダ２の軸部の材質や形状により異なり、ホルダ２への止め輪５の脱着がスムーズに行える長さでなければならない。ホルダ２はホルダブロック２２にねじ等により固定される。また、ホルダブロック２２は、対向ブロック３にはめ込めるようになっており、通し穴２３にピン３１を挿通することにより、対向ブロック３の中で、ホルダブロック２２を回動可能に保持することができる。
【００２０】
３２はストッパであり、ホルダブロック２２に取付けたホルダ２の可動範囲を規制する。これにより、ホルダ２の止め輪把持部２５はを支持ブロック４の係合支持部４１に対向する位置に停止させることができる。また、ホルダ２は、後述するようにこの位置から外方に略９０度回転した位置までしか回動できないようにしておくと良い。
【００２１】
なお、使用する止め輪５のサイズを変更する場合には、ホルダ２を交換する必要がある。この場合には、ピン３１を外してホルダブロック２２ごと交換することで、全てサイズの止め輪５に対応することができる。
【００２２】
また、前記支持ブロック４の先端部に設けた係合支持部４１の幅Ｗ２は、止め輪５の開口端の幅Ｗ１部より短く、厚さも止め輪５の厚みより薄くしておく。また、止め輪５の内径と同等の半円形の切り込みを設けておく。これにより、止め輪５を挿入対象軸の溝部に容易にはめ込むことができる。また、この係合支持部４１の高さは、後述するように、止め輪５の挿入時に対象軸６の軸上に設けられた部品７と干渉しない高さとする。
【００２３】
次に、止め輪挿入治具を用いた止め輪５の挿入作業について説明する。図４，５は、止め輪を挿入する位置を説明する図であり、図４は斜視図、図５は図４のＡ−Ａ断面図である。図４，５に示すように、止め輪を挿入する位置（溝部６１の位置）は、周囲を機構部材８等により囲まれた奥まった位置で、且つ、対象軸６の軸上端部にはローラなどの部品７が取付けられている。なお、止め輪を挿入する位置がこのような位置である場合、前記従来の治具では止め輪を挿入することは不可能である。
【００２４】
また、図６は、止め輪挿入治具に止め輪をセットする際の処理を説明する図、図７は挿入対象軸６に止め輪を挿入した状態を説明する図である。なお、図６において、５１は直立したガイド体であり、このガイド体には積層した複数の止め輪５の開口部を挿通して保持する。また、５２ガイド体を直立して保持する基台である。
【００２５】
止め輪の挿入作業に際しては、まず、図６に示すように、基台５２上に直立したガイド体５１に複数の止め輪５を積層してセットしておく。次いで、止め輪挿入治具の握り部（柄）を把持し、ホルダ２を外方に回転させて図６の位置（止め輪取り出し位置）に配置する。この状態で、積層された最下段の止め輪の位置にホルダの止め輪把持部２５を差し込む。これにより、止め輪５を容易にひとつだけ取り出して把持部２５にセットすることができる。止め輪を挿入する際には、ホルダ２を内方に回転させて図１に示すストッパ３２により規制される位置（止め輪挿入位置）まで回転させる。なお、ホルダを前記止め輪取り出し位置および止め輪挿入位置で仮に固定する装置を付加してもよい。
【００２６】
実際に止め輪を挿入する場合には、まず、ホルダを止め輪挿入位置においた状態で、対象軸の止め輪挿入部位に止め輪挿入治具を挿入する。次いで、支持ブロック４の係合支持部４１を挿入対象軸６の溝部６１にはめ込む。これにより、挿入治具を確実に挿入部位に位置決めすることができ、狭隘で目視確認の困難な部位であっても、挿入部位を容易に確認することができる。次いで、把持具１の柄を握り締めると止め輪５が対象軸に挿入される。握り締めている力を抜くと、ばね１１の作用により、把持具１の先端が開き、同時にホルダ２から止め輪５が外れる。
【００２７】
図４，５に示すように止め輪５の挿入対象軸６の端部にローラ等の大きな部品７が取り付けられている場合、ホルダ２を前記止め輪挿入位置にセットした状態では、部品７を回避して挿入治具を挿入することが困難になる。このような場合には、ホルダを前記止め輪取り出し位置にセットした状態で挿入し、端部の部品７を回避した位置で止め輪挿入位置にセットし直すと良い。
【００２８】
以上の説明では、挿入治具のホルダ２がホルダブロック２２を中心に回動する例について説明した。しかし、ホルダブロック４は必ずしも回動する必要はない。この場合、止め輪５を前記止め輪をセットしたガイド体５１を利用して止め輪をホルダ２にセットすることはできない。このため、手作業により、止め輪５をホルダ２にセットすることとなる。このタイプの治具は、ホルダ２の可動機能を廃することにより、さらに小型化することができる。
【００２９】
止め輪５を挿入する際に、確実に挿入されたことの確認は、手による感触に頼らざるを得えない。ホルダ２あるいは把持具１に加速度測定器などを取り付けることにより、挿入時の衝撃を検知し、電気的に表示するなどの手段も考えられる。しかし、本発明はあくまでも安価な挿入治具を目指すものであり、測定器などを取り付けると、高価なものとなると同時に、先端部分などに大きな部品が取り付くことなり、狭隘部への挿入が困難になり、現実的ではないと考える。また、挿入する止め輪５のサイズを交換したとき、ホルダ２を交換する必要があるが、そのために把持具１に取り付けたホルダ２を交換していたのでは、作業効率が落ちてしまう。このため、あらかじめ使用するサイズのホルダを取り付けた保持具１をそれぞれ用意しておけば、準備作業も簡易化することができる。本発明では、構造が簡単で安価な治具を実現しているのでこのような使い方が可能となる。なお、止め輪としては、図３に示すＥ型止め輪を例に説明したが、これに限ることはなくＵ型止め輪等にも適用できる。
【図面の簡単な説明】
【００３０】
【図１】本実施形態にかかる止め輪挿入治具を説明する図である。
【図２】止め輪を保持するホルダを説明する図である。
【図３】止め輪を説明する図である。
【図４】止め輪を挿入する位置を説明する図である。
【図５】止め輪を挿入する位置を説明する図であ。
【図６】止め輪挿入治具に止め輪をセットする際の処理を説明する図である。
【図７】挿入対象軸に止め輪を挿入した状態を説明する図である。
【符号の説明】
【００３１】
１  把持具
２  ホルダ
３  対向ブロック
４  支持ブロック
５  止め輪
６  対象軸
７  取り付け部品
８  機構部品
１１，１２  把持部材
１３  バネ
１４  ネジ穴
２１  軸部
２２  ホルダブロック
２３  通し穴
２４  切れ目
２５  止め輪把持部材
３１  ピン
３２  ストッパ
４１  係合支持部
５１  ガイド体
５２  基台
６１  溝部
【図１】
2005334995.tif 000003
【図２】
2005334995.tif 000004
【図３】
2005334995.tif 000005
【図４】
2005334995.tif 000006
【図５】
2005334995.tif 000007
【図６】
2005334995.tif 000008
【図７】
2005334995.tif 000009